(57)【要約】【課題】  本請求発明の主目的は、周辺装置を制御するための電子装置及び関連方法を提供する事である。【解決手段】  周辺装置を制御するための電子装置は、制御コマンドを受け取り、制御コマンドを第１コマンドに変換するデータ処理ユニット、周辺装置のタスクを得るために第１コマンドを復号化し、第２コマンドを作るためのタスクを符号化するため、データ処理ユニットに結合されたコマンド処理ユニット、及び周辺装置の操作を制御するため、第２コマンドを消費者電子制御フォーマットの第３コマンドに変換するため、コマンド処理ユニットと周辺装置とに結合された変換ユニットを含む。【選択図】図２
2010124458.tif 000002
【特許請求の範囲】
【請求項１】
制御コマンドを受け取り、制御コマンドを第１コマンドに変換するデータ処理ユニット；
周辺装置のタスクを得るために第１コマンドを復号化し、第２コマンドを作るためのタスクを符号化するため、データ処理ユニットに結合されたコマンド処理ユニット；及び
周辺装置の操作を制御するため、第２コマンドを消費者電子制御（ＣＥＣ）フォーマットの第３コマンドに変換するため、コマンド処理ユニットと周辺装置とに結合された変換ユニット
を含む周辺装置を制御するための電子装置。
【請求項２】
制御コマンドが遠隔制御コマンドである請求項１の電子装置。
【請求項３】
データ処理ユニットは伝送制御プロトコル／インターネットプロトコル（ＴＣＰ／ＩＰ）フォーマットの制御コマンドを第１コマンドに変換するために使われる請求項１の電子装置。
【請求項４】
データ処理ユニットはハイパーテキスト転送プロトコル（ＨＴＴＰ）又はハイパーテキスト転送プロトコルオーバー安全ソケット層（ＨＴＴＰＳ）フォーマットの制御コマンドを第１コマンドに変換するために使われる請求項１の電子装置。
【請求項５】
制御コマンドは、コンピューター、電話、又は携帯通信装置のような制御装置により送られた請求項１の電子装置。
【請求項６】
データ処理ユニットは、電話により作られた音声データである制御コマンドを第１コマンドに変換するために使われる請求項５の電子装置。
【請求項７】
タイミング情報が制御コマンドに含まれている時、タイミング情報に従い第１コマンドを処理する上でコマンド処理ユニットを助けるため、データ処理ユニットとコマンド処理ユニットとに結合されたスケジューリングユニットを更に含む請求項１の電子装置。
【請求項８】
変換ユニットを介し周辺装置の操作状態を自動的に検出するため、変換ユニットに結合された検出ユニットを更に含む請求項１の電子装置。
【請求項９】
変換ユニットは、周辺装置の検出された操作状態を、制御コマンドを送る制御装置に送り返すために更に用いられる請求項８の電子装置。
【請求項１０】
もう１つの周辺装置を制御するため、第２コマンドを赤外制御コマンドに変換するため、コマンド処理ユニットに結合された赤外変換ユニットを含む請求項１の電子装置。
【請求項１１】
第２コマンドを変換するように赤外変換ユニットを助けるため、赤外変換ユニットに結合された赤外補助制御ユニットを更に含む請求項１０の電子装置。
【請求項１２】
制御コマンドを受け取り、制御コマンドを第１コマンドに変換するステップ；
周辺装置のタスクを得るために第１コマンドを復号化し、第２コマンドを作るためのタスクを符号化するステップ；及び
周辺装置の操作を制御するため、第２コマンドを消費者電子制御（ＣＥＣ）フォーマットの第３コマンドに変換するステップ
を含む周辺装置を制御するための制御方法。
【請求項１３】
制御コマンドは、伝送制御プロトコル／インターネットプロトコル（ＴＣＰ／ＩＰ）コマンドである請求項１２の制御方法。
【請求項１４】
制御コマンドは、ハイパーテキスト転送プロトコル（ＨＴＴＰ）又はハイパーテキスト転送プロトコルオーバー安全ソケット層（ＨＴＴＰＳ）フォーマットのコマンドである請求項１２の制御方法。
【請求項１５】
制御コマンドは、電話により作られた音声データである請求項１２の制御方法。
【請求項１６】
タイミング情報が制御コマンドに含まれる時、タイミング情報に従い第１コマンドを処理するステップを更に含む請求項１２の制御方法。
【請求項１７】
もう１つの周辺装置を制御するため、第２コマンドを赤外制御コマンドに変換するステップを更に含む請求項１２の制御方法。
【請求項１８】
制御コマンドは、コンピューター、電話、又は携帯通信装置のような制御装置により送られた請求項１２の制御方法。
【発明の詳細な説明】
【技術分野】
【０００１】
本発明は周辺装置を制御するための電子装置及び関係方法に関し、特にＨＤＭＩ−ＣＥＣ（高解像度マルチメディアインターフェース―消費者電子制御）信号による周辺装置を制御するための電子装置及び関係方法に関する。
【背景技術】
【０００２】
コンピューター及び通信ネットワーク技術の発達と共に、デジタルホーム機器は人気が高まり近代生活において人々に大いなる利便性をもたらす。デジタルホームは、パーソナルコンピューター、マルチメディア娯楽機器、冷蔵庫及び洗濯機のような家庭電子機器、及び保安システムの制御を一体化する。これらのデジタルホーム機器は有線／無線網を通じてホームゲートウエー（ｈｏｍｅ  ｇａｔｅｗａｙ）に接続されて、ホームゲートウエーにより外部ネットワークと通信する。デジタルホームにおいて、人々はデジタルホーム機器上で遠隔制御を実行し、たとえ彼らが家にいなくても、例えば、ドア監視システムの角度を制御し、又は空調の温度及び運転時間を設定する。
【０００３】
先行技術によるデジタルホーム１０のブロック図である図１を参照して下さい。デジタルホーム１０は、ルーター１００、ＤＶＤプレーヤー１０２、コンピューター１０４、アクセスポイント１０６、及び赤外（ＩＲ）送信機１０８を含む。ＤＶＤプレーヤー１０２のようなデジタルホーム１０の周辺装置は、ＩＲ送信機１０８を介してアクセスポイント１０６に接続される。アクセスポイント１０６及びコンピューター１０４は、ルーター１００を介してインターネットに接続される。アクセスポイント１０６は、コンピューターのような接続された大変複雑な周辺装置を制御するために伝送制御プロトコル／インターネットプロトコル（ＴＣＰ／ＩＰ）のようなネットワーキングプロトコルを用い、ＩＲ送信機１０８を介し、ＤＶＤプレーヤー１０２、テレビ又はＳＴＢ（Ｓｅｔ  Ｔｏｐ  Ｂｏｘ，  セット  トップ  ボックス）のようなあまり複雑でないもう１つの周辺装置を制御する。ＩＲ送信機１０８は単一方向にのみ信号を伝送でき、応答としての肯定応答を伝送できず、このことは、コマンドを送った後伝送されたコマンドが成功裏にＤＶＤプレーヤー１０２により受け取られたかどうかアクセスポイント１０６が認識する方法がない事を意味し、そしてそれにより応答信号に従い好ましい制御を実行できない事に注意する。
【０００４】
現在、一般周辺装置は、ＴＣＰ／ＩＰとして高水準プロトコルをサポートしない。ユーザーは、アクセスポイント１０６を介しデジタルシステム１０の周辺装置にのみ遠隔制御を実行でき、周辺装置を直接制御できない。言い換えると、一般周辺装置は、アクセスポイント１０６がやるように制御の統一を実行できず、それはデジタルホームにおいて不都合で融通が効かない。
【発明の概要】
【発明が解決しようとする課題】
【０００５】
そこで本請求発明の主目的は、周辺装置を制御するための電子装置及び関連方法を提供する事である。
【課題を解決するための手段】
【０００６】
本発明は、周辺装置を制御するための電子装置を開示し、電子装置は、データ処理ユニット、コマンド処理ユニット、及び変換ユニットを含む。データ処理ユニットは、制御コマンドを受け取り且つ制御コマンドを第１コマンドに変換するために使われる。コマンド処理ユニットはデータ処理ユニットに結合され且つ周辺装置のタスクを得るために第１コマンドを復号化し、第２コマンドを作るためのタスクを符号化するために使われる。変換ユニットは、コマンド処理ユニットと周辺装置とに結合され、周辺装置の操作を制御するため、第２コマンドをＣＥＣフォーマットの第３コマンドに変換するために使われる。
【０００７】
本発明は、周辺装置を制御するための制御方法を更に開示し、制御方法は、制御コマンドを受け取り且つ制御コマンドを第１コマンドに変換するステップ、周辺装置のタスクを得るために第１コマンドを復号化し、第２コマンドを作るためのタスクを符号化するステップ、周辺装置の操作を制御するために、第２コマンドをＣＥＣフォーマットの第３コマンドに変換するステップを含む。
【０００８】
本発明のこれらの及び他の目的は、種々の図面に示された好ましい実施例の以下の詳細な記述を読んだ後疑いなく業界の当業者に明らかになるであろう。
【図面の簡単な説明】
【０００９】
【図１】先行技術によるデジタルホームのブロック図である。
【図２】本発明の実施例による電子装置のブロック図である。
【図３】本発明の実施例によるデジタルホームのブロック図である。
【図４】本発明の実施例によるプロセスのフローチャートである。
【発明を実施するための形態】
【００１０】
本発明の実施例による電子装置２０のブロック図である、図２を参照して下さい。電子装置２０は、テレビ、ＤＶＤプレーヤー、デジタルビデオ記録器、パーソナルビデオ記録器、及びＳＴＢのような１領域に配置される複数の周辺装置を制御するために使われる。先ず、本発明は、周辺装置を制御するためにＨＤＭＩ−ＣＥＣ（高解像度マルチメディアインターフェース―消費者電子制御）信号を使い、その事は電子装置２０がＨＤＭＩをサポートする周辺装置を制御する事を意味する事に注意する。
【００１１】
簡単に言うと、電子装置２０は、コンピューター、携帯電話又は電話のような制御装置により作られた制御コマンドの受取、制御コマンドのＣＥＣコマンドへの変換、及び周辺装置の制御のために使われる。例えば、プログラムを記録するためのビデオ記録器を制御するために、ユーザーは家で電子装置２０に接続するために家の外に置かれたコンピューターを使う。この状況において、電子装置２０は、コンピューターにより作られた制御コマンドを受け取り、制御コマンドから変換されたＣＥＣコマンドに従いビデオ記録器を制御する。本発明の実施例は、電子装置２０が周辺装置２２から１制御コマンドを受け取る事のみ記述する；事実、電子装置２０は、複数の制御コマンドを受け取ることができ、各々複数の周辺装置を制御できる。
【００１２】
電子装置２０は、データ処理ユニット２００，２０２又は２０４、コマンド処理ユニット２０６、スケジューリングユニット２０８、ＣＥＣ変換ユニット２１０、検出ユニット２１２、赤外変換ユニット２１４、及び赤外補助制御ユニット２１６を含む。制御コマンドが後に第１コマンドと呼ばれる、特定のフォーマットを持つコマンドに変換されるようにデータ処理ユニット２００，２０２及び２０４は、各々異なるフォーマットの制御コマンドを変換するために使われる。特定のフォーマットは、コマンド処理ユニット２０６に受け入れられ且つ対応する制御装置のタイプによって異なる。データ処理ユニット２００は、伝送制御プロトコル／インターネットプロトコル（ＴＣＰ／ＩＰ）フォーマットの制御コマンドを変換するために用いられる。データ処理ユニット２０２は、ハイパーテキスト転送プロトコル（ＨＴＴＰ）又は（ハイパーテキスト転送プロトコルオーバー安全ソケット層、ＨＴＴＰＳ）フォーマットの制御コマンドを変換するために使われる。ユーザーがインターネットを介して電子装置２０に接続するために携帯電話又はコンピューターを使うとき、データ処理ユニット２００，又は２０２は、ＴＣＰ／ＩＰフォーマット又はＨＴＴＰ／ＨＴＴＰＳフォーマットの制御コマンドを受け取り、その制御コマンドを変換する。データ処理ユニット２０４は、電話により作られた音声データである制御コマンドを変換するために使われる。コマンド処理ユニット２０６は、データ処理ユニット２００，２０２又は２０４に結合され、周辺装置２２のタスクを得るために第１コマンドを復号化し、後に第２コマンドと呼ばれるもう１つのコマンドを作るためのタスクを符号化するために使われる。
【００１３】
データ処理ユニット２００，２０２又は２０４は又、スケジューリングユニット２０８に作られた第１コマンドを送る事に注意する。スケジューリングユニット２０８は、データ処理ユニット２００，２０２又は２０４及びコマンド処理ユニット２０６と結合される。制御コマンドに含まれたタイミング情報がある時、スケジューリングユニット２０８は、タイミング情報に従い第１コマンドを処理する上でコマンド処理ユニット２０６を助ける。例えば、ユーザーが、午後６時のテレビプログラムを記録するため家にあるビデオ記録器を制御するために、ＴＣＰ／ＩＰフォーマットの制御コマンドを電子装置２０に伝送するためにコンピューターを使う時；この状況で、スケジューリングユニット２０８は、第１コマンドを処理するようにコマンド処理ユニット２０６を助けるので、ビデオ記録器はタスクを記録するために時間通り目を覚ます。
【００１４】
前述の通りコマンド処理ユニット２０６は、第２コマンドを作るため電子装置２２のタスクを符号化する。ＣＥＣ変換ユニット２１０は、コマンド処理ユニット２０６と電子装置２２とに結合され、第３コマンドに従い電子装置２２の操作を制御するため、コマンド処理ユニット２０６により作られた第２コマンドを後に第３コマンドと呼ばれるＣＥＣコマンドに変換するために使われる。検出ユニット２１２は、ＣＥＣ変換ユニット２１０に結合され、電子装置２２との接続を確立するためハンドシェーキングプロセスを完成するようにＣＥＣ変換ユニット２１０を助けるために使われる。その上、検出ユニット２１２は自動的にＣＥＣ変換ユニット２１０を介し電子装置２２の操作状態を検出する。もし電子装置２０が複数の周辺装置に結合されるなら、検出ユニット２１２は全ての周辺装置の操作状態を検出できる。更に、ＣＥＣ変換ユニット２１０は、コマンド処理ユニット２０６に検出された操作状態を送り返す。コマンド処理ユニット２０６は、操作状態に関係するデータを作るため対応するデータプロセスユニットを制御し、データを制御装置に送り返す。そこで、ユーザーは、電子装置２２の現在の操作状態を知り、更なる決心をすることができる。
【００１５】
更に、赤外変換ユニット２１４及び赤外補助制御ユニット２１６は、ＨＤＭＩに支持されない周辺装置を制御するために使われ、図２の周辺装置２４に示されるが如くＩＲ送信機によってのみ制御される。赤外変換ユニット２１４は、コマンド処理ユニット２０６と周辺装置２４とに結合され、第２コマンドをＩＲ制御コマンドに変換するために使われ、周辺装置２４との接続を確立するためハンドシェーキングプロセスを制御するために使われる。周辺装置の異なるタイプ用の数個のＩＲ制御コマンドが保存される赤外補助制御ユニット２１６は、赤外変換ユニット２１４に結合され、第２コマンドをＩＲ制御コマンドに変換するように赤外変換ユニット２１４を助けるために使われる。
【００１６】
電子装置２０は、本発明の実施例の１つであり、当業者は改造及び変更をする事ができる事に注意する。ＩＲ送信機は、赤外変換ユニット２１４及び赤外補助制御ユニット２１６を含まないもう１つの実施例により支援可能でない。加えて、複数のデータ処理ユニット２００，２０２又は２０４は、単一のデータ処理ユニットに一体化でき、ＴＣＰ／ＩＰ及びＨＴＴＰ／ＨＴＴＰＳフォーマット以外のもう１つのフォーマットを支援できる。従来のデジタルホームにおいては、ユーザーは、マルチメディア娯楽機器のような周辺装置をアクセスポイントを通じてのみ遠隔制御し、一般周辺装置により周辺装置を制御する方法がない。先行技術と比較して電子装置２０は、ＨＤＭＩを支援する周辺装置を制御するため制御コマンドをＣＥＣコマンドに変換するので、電子装置２０は独立であろうが周辺装置に設置されていようが、ユーザーは、デジタルホームの周辺装置に遠隔制御を実行する。
【００１７】
本発明の実施例によるデジタルホーム３０のブロック図である、図３を参照して下さい。デジタルホーム３０は、電子装置２０、ルーター３００、ＤＶＤプレーヤー３０２、ビデオ記録器３０４、ＳＴＢ３０６、及びＴＶ３０８を含む。ＤＶＤプレーヤー３０２、ビデオ記録器３０４、ＳＴＢ３０６及びＴＶ３０８は、ＨＤＭＩ  ＣＥＣ信号により互いに通信する。電子装置２０は、ルーター３００を介しインターネットと接続されるルーター３００及びビデオ記録器３０４に結合され、ビデオ記録器３０４を介しＤＶＤプレーヤー３０２、ＳＴＢ３０６及びＴＶ３０８のような周辺装置を制御する。ＨＤＭＩ−ＣＥＣ信号により、本発明による電子装置は、デジタルホームのユーザーの利便性を高めるもう１つの周辺装置を通して周辺装置を制御できる。
【００１８】
本発明の実施例によるプロセス４０のフローチャートである、電子装置２０の操作用のための図４を参照して下さい。プロセス４０は以下のステップを含む：
ステップ４００：開始
ステップ４０２：データ処理ユニット２００，２０２又は２０４は制御措置により作られた制御コマンドを受け取り、制御コマンドを第１コマンドに変換する
ステップ４０４：タイミング情報が制御コマンドに含まれている時、タイミング情報に従いスケジューリングユニット２０８は、第１コマンドの処理の上でコマンド処理ユニット２０６を補助する。
【００１９】
ステップ４０６：コマンド処理ユニット２０６は、周辺装置２２のタスクを得るために第１コマンドを復号化し第２コマンドを作るためのタスクを符号化する。
【００２０】
ステップ４０８：ＣＥＣ変換ユニット２１０は、周辺装置２２の操作を制御するために第２コマンドをＣＥＣフォーマットの第３コマンドに変換する。
【００２１】
ステップ４１０：検出ユニット２１２はＣＥＣ変換ユニット２１０を介して周辺装置２２の操作状態を自動的に検出し、その操作状態を制御装置に送り返す。
【００２２】
ステップ４１２：赤外変換ユニット２１４は、周辺装置２４を制御するために第２コマンドをＩＲ制御コマンドに変換する。
【００２３】
ステップ４１４：終了
プロセス４０において、異なるフォーマットの制御コマンドは、コマンド処理ユニット２０６に送られた第１コマンドを作るためにデータ処理ユニット２００，２０２又は２０４により変換される。ステップ４０８及びステップ４１０は、ＣＥＣ変換ユニット２１０及び検出ユニット２１２の操作を示す。；ステップ４１２は、赤外変換ユニット２１４の操作を示す。ステップ４０８及びステップ４１２を同時に操作できる。プロセスの操作は、前述の電子装置２０に詳細に記述され、それは繰り返されない。
【００２４】
結論として本発明による電子装置２０は、データ処理ユニット、コマンド処理ユニット及びＣＥＣ変換ユニットを通じて制御コマンドをＨＤＭＩ−ＣＥＣフォーマットに変換し、それによりＨＤＭＩ−ＣＥＣフォーマットのコマンドに従う周辺装置を制御する。ユーザーは、デジタルホームの周辺装置を制御するために電子装置の接続のみ要する。そこで、デジタルホームのユーザー経験は、大いに改良される。
【００２５】
当業者は、本発明の教えを保持しつつ、装置及び方法の数多くの変更及び改造をすることができる事を容易に観察するであろう。
【図１】
2010124458.tif 000003
【図２】
2010124458.tif 000004
【図３】
2010124458.tif 000005
【図４】
2010124458.tif 000006